(57)【要約】【課題】調光操作に応じた調光率での点灯を可能にして、調光操作の操作感を共通にする。【解決手段】照明負荷を点灯させるための電力を発生する交流電源に前記照明負荷と共に直列接続されて、オンオフすることによって前記交流電源から得られる電力の前記照明負荷への供給を制御する位相制御素子Ｔと；調光操作に基づく信号が与えられて、前記位相制御素子の導通角を制御する第１の制御手段ＶＲ１，Ｃ１と；前記調光操作に基づく信号と前記照明負荷の実際の調光率とを１対１に対応させるために前記位相制御素子の導通角を補正する第２の制御手段１２，Ｃ２，Ｓと；を具備したことを特徴とする。【選択図】図１
2011044353.tif 000002
【特許請求の範囲】
【請求項１】
照明負荷を点灯させるための電力を発生する交流電源に前記照明負荷と共に直列接続されて、オンオフすることによって前記交流電源から得られる電力の前記照明負荷への供給を制御する位相制御素子と；
調光操作に基づいて、前記位相制御素子の導通角を制御する第１の制御手段と；
前記調光操作と前記照明負荷の調光率とを１対１に対応させるために前記位相制御素子の導通角を補正する第２の制御手段と；
を具備したことを特徴とする調光器。
【請求項２】
前記第２の制御手段は、
前記交流電源の電源周波数を検出する周波数検出手段と；
前記周波数検出手段の検出結果に基づいて前記位相制御素子の導通角を補正する補正手段と；
を具備したことを特徴とする請求項１に記載の調光器。
【請求項３】
前記第２の制御手段は、
前記照明負荷の負荷電流を検出する電流検出手段と；
前記電流検出手段の検出結果に基づいて前記位相制御素子の導通角を補正する補正手段と；
を具備したことを特徴とする請求項１に記載の調光器。
【請求項４】
前記第２の制御手段は、
前記照明負荷の負荷電圧及び負荷電流を検出する電圧電流検出手段と；
前記電圧電流検出手段の検出結果に基づいて前記位相制御素子の導通角を補正する補正手段と；
を具備したことを特徴とする請求項１に記載の調光器。
【発明の詳細な説明】
【技術分野】
【０００１】
本発明は、位相制御方式の調光を行う調光器に関する。
【背景技術】
【０００２】
従来、電源、照明負荷器具及びコントローラが直列接続され、コントローラにより照明負荷器具に対して照明制御が行われる照明システムが採用されることがある。このような照明システムにおいては、２線式の配線を用いて照明負荷器具に電力が供給される。そして、調光器が位相制御方式により照明負荷器具への供給電力を調整することで、調光制御が行われる。
【０００３】
このような２線式の照明システムにおいては、電源位相制御を行うスイッチング素子としては双方向性３端子サイリスタ（以下、トライアックという）等が用いられる。トライアックのオン，オフによって、電源からの照明負荷への電力供給が制御されて調光が行われる。即ち、電源電圧のゼロクロスポイントから調光制御に基づく遅延時間後にトライアックをオンにすることで、照明負荷への電力供給時間が制御されて、調光が行われる。なお、このような位相制御方式については特許文献１に詳述されている。
【０００４】
トライアックを導通させるまでの遅延時間は、可変抵抗及びコンデンサによる時定数回路によって制御される。トライアックのオフ期間にこの時定数回路のコンデンサを充電し、コンデンサの端子電圧が所定値に到達することで、トライアックを導通させるのである。ユーザは、可変抵抗を構成するボリュームのつまみを操作することで可変抵抗の抵抗値を変化させて、照明の明るさを任意に設定可能である。
【先行技術文献】
【特許文献】
【０００５】
【特許文献１】特開２００４−２７３２６７号公報
【発明の概要】
【発明が解決しようとする課題】
【０００６】
このように、遅延時間は可変抵抗及びコンデンサの時定数回路によって決定される。この遅延時間を電源周期の半周期以上に設定すると、トライアックは常時非導通となり照明負荷器具は点灯しない。即ち、調光可能な遅延時間は、最大で電源周期半周期である。
【０００７】
ところが、電源周波数は地域によって異なる。例えば、電源電圧が５０Ｈｚの地域において、最大の遅延時間を与える抵抗値が仮に６０Ωであるものとすると、電源電圧が６０Ｈｚの地域では、最大の遅延時間を与える抵抗値は５０Ωである。電源電圧が６０Ｈｚの地域において、抵抗値を６０Ωに設定すると、遅延時間は電源周期の半周期を超えてしまう。
【０００８】
即ち、可変抵抗を構成するボリュームのつまみを操作することによって調光を制御する調光器においては、ボリュームのつまみの操作位置に対する照明光の明るさが電源周波数が５０Ｈｚの地域と６０Ｈｚの地域とで異なり、更に、電源周波数が６０Ｈｚの地域では、ボリュームのつまみの一部の範囲は明るさ調整に寄与せず利用することができない。
【０００９】
また、電源の電源電圧が変動することもある。この場合には、電源電圧の変動によって負荷電流も変動し、明るさが変化してしまう。更に、位相制御においては、電源電圧の変動によって時定数回路による遅延時間も変動し、明るさの変化を増長させてしまう。即ち、電源電圧の変動が発生すると、ボリュームのつまみの操作位置と照明光の明るさとの関係が変化してしまう。
【００１０】
また、接続される照明負荷器具としては種々の種類が考えられる。異なる種類の照明負荷器具では特性の相違から、電源制御の同一の導通角に対して調光率が異なることがあり、調光可能な導通角の範囲が異なることもある。このため、ボリュームのつまみの操作位置に対する調光率が照明負荷器具の種類毎に変化することがある。
【００１１】
このように、従来の調光器においては、同一の調光率を得るための調光操作が異なってしまうことがあり、共通の操作感で操作することができないことがあるという問題があった。
【００１２】
本発明はかかる問題点に鑑みてなされたものであって、同一の調光率を得るための調光操作を共通の操作感にすることにより操作性を向上させることができる調光器を提供することを目的とする。
【課題を解決するための手段】
【００１３】
請求項１記載の調光器は、照明負荷を点灯させるための電力を発生する交流電源に前記照明負荷と共に直列接続されて、オンオフすることによって前記交流電源から得られる電力の前記照明負荷への供給を制御する位相制御素子と；調光操作に基づいて、前記位相制御素子の導通角を制御する第１の制御手段と；前記調光操作と前記照明負荷の調光率とを１対１に対応させるために前記位相制御素子の導通角を補正する第２の制御手段と；を具備したことを特徴とする。
【００１４】
第２の制御手段として、前記交流電源の電源周波数を検出する周波数検出手段を具備することで、電源周波数に拘わらず、位相制御素子の導通角を同じにして、調光操作に応じた調光率での点灯を可能にする。
【００１５】
また、第２の制御手段として、前記照明負荷の負荷電流を検出する電流検出手段を具備することで、電源電圧変動等に拘わらず、位相制御素子の導通角を同じにして、調光操作に応じた調光率での点灯を可能にする。
【００１６】
また、第２の制御手段として、前記照明負荷の負荷電圧及び負荷電流を検出する電圧電流検出手段を具備することで、照明負荷の特性に拘わらず、位相制御素子の導通角を同じにして、調光操作に応じた調光率での点灯を可能にする。
【発明の効果】
【００１７】
請求項１の発明によれば、同一の調光率を得るための調光操作を共通の操作感にすることにより操作性を向上させることができるという効果を有する。
【００１８】
請求項２の発明によれば、電源周波数を検出する周波数検出手段を備えることで、電源周波数に拘わらず、位相制御素子の導通角を同じにして、調光操作に応じた調光率での点灯を可能にする。
【００１９】
請求項３の発明によれば、負荷電流を検出する電流検出手段を備えることで、電源電圧変動等に拘わらず、位相制御素子の導通角を同じにして、調光操作に応じた調光率での点灯を可能にする。
【００２０】
請求項４の発明によれば、負荷電圧及び負荷電流を検出する電圧電流検出手段を備えることで、照明負荷の特性に拘わらず、位相制御素子の導通角を同じにして、調光操作に応じた調光率での点灯を可能にする。
【図面の簡単な説明】
【００２１】
【図１】本発明の第１の実施の形態に係る調光器を備えた照明器具を示す回路図。
【図２】横軸に時間をとり縦軸に電圧をとって、電源１１の交流電源電圧とトライアックＴの制御を説明するための波形図。
【図３】本発明の変形例を示す回路図。
【図４】本発明の第２の実施の形態を示す回路図。
【図５】本発明の第３の実施の形態を示す回路図。
【図６】第３の実施の形態の動作を説明するための波形図。
【図７】本発明の第４の実施の形態を示す回路図。
【図８】横軸に電圧をとり縦軸に電流をとって、照明負荷器具１３として白熱電球又はＬＥＤ電球を採用した場合における負荷電流と負荷電圧との特性を示すグラフ。
【図９】横軸に時間をとり縦軸に電圧をとって、電源１１の交流電源電圧と導通角との関係を説明するための波形図。
【図１０】第４の実施の形態の動作を説明するためのフローチャート。
【発明を実施するための形態】
【００２２】
以下、図面を参照して本発明の実施の形態について詳細に説明する。  
（第１の実施の形態）  
図１は本発明の第１の実施の形態に係る調光器及びこの調光器によって調光制御される照明負荷器具を示す回路図である。
【００２３】
図１に示す調光器は、２線式の配線によって電源１１からの電力を端子Ｉ１，Ｉ２間に接続される照明負荷器具１３に供給するものである。電源１１と端子Ｉ１，Ｉ２に接続する照明負荷器具１３との間には位相制御を行うトライアックＴが設けられ、電源１１、トライアックＴ及び照明負荷器具１３は直列に接続される。電源１１は、例えば交流１００Ｖ等の交流電源電圧を発生する。なお、本実施の形態においては位相制御を行うための素子としてトライアックを用いる例を説明するが、トライアックと同様に自己保持性素子であるサイリスタを用いてもよい。
【００２４】
交流電源１１と端子Ｉ１との間には、トライアックＴが接続され、トライアックＴには並列に可変抵抗ＶＲ１及びコンデンサＣ１の直列回路が接続される。第１の制御手段としての可変抵抗ＶＲ１及びコンデンサＣ１同士の接続点は、双方向ダイオード（以下、ダイアックという）ＴＤを介してトライアックＴの制御端に接続される。
【００２５】
本実施の形態においては、コンデンサＣ１に並列に、コンデンサＣ２及びアナログスイッチＳの直列回路が接続される。また、トライアックＴに並列に周波数弁別回路１２が接続されている。周波数弁別回路１２は、電源１１からの交流電圧が与えられて、交流電圧の周波数（電源周波数）を判別し、判別結果に基づいてアナログスイッチＳを制御する。アナログスイッチＳは、周波数判別結果によってオン，オフ制御されて、オンの場合にコンデンサＣ２をコンデンサＣ１に並列接続するようになっている。これらの周波数弁別回路１２、コンデンサＣ２及びアナログスイッチＳによって第２の制御手段が構成される。また、可変抵抗ＶＲ１及びコンデンサＣ１，Ｃ２によって、照明負荷器具１３の調光率を決定する時定数回路が構成される。
【００２６】
次に、このように構成された実施の形態の動作について図２を参照して説明する。図２は横軸に時間をとり縦軸に電圧をとって、電源１１の交流電源電圧とトライアックＴの制御を説明するための波形図である。図２（ａ）は電源周波数が５０Ｈｚの例を示し、図２（ｂ）は電源周波数が６０Ｈｚの例を示している。
【００２７】
いま、説明を簡略化するためにアナログスイッチＳがオフであるものとする。この場合には、時定数回路は、可変抵抗ＶＲ１及びコンデンサＣ１のみによって構成される。可変抵抗ＶＲ１は調光制御に応じた抵抗値に設定される。トライアックＴがオフの場合には、交流電源１１によって可変抵抗ＶＲ１を介してコンデンサＣ１が充電される。コンデンサＣ１の充電開始から、可変抵抗ＶＲ１及びコンデンサＣ１の時定数に基づく所定の遅延時間後に、コンデンサＣ１の端子電圧は、ダイアックＴＤをオンにする電圧に到達する。これにより、ダイアックＴＤにパルスが発生してトライアックＴの制御端にパルスが供給される。こうして、トライアックＴが導通する。
【００２８】
トライアックＴは電源１１から電流が供給されて導通を維持する。トライアックＴのオン期間には、コンデンサＣ１は放電されており、トライアックＴは保持電流が維持されなくなるとオフする。トライアックＴに印加される電源電圧の極性が反転すると、コンデンサＣ１が再び充電され、遅延時間の後ダイアックＴＤがオンする。これにより、交流電源電圧のゼロクロス点から所定の遅延時間後に、トライアックＴがオンする。以後同様の動作が繰返されて、電源周期から遅延時間を除く期間（以下、電力供給期間という）において、電源１１からの電力がトライアックＴを介して照明負荷器具１３に供給される。照明負荷器具１３に供給される電力は、トライアックＴのオン時間に応じて変化する。これにより、照明負荷器具１３の明るさが調光制御されるようになっている。
【００２９】
図２の交流波形は電源１１が発生する電圧を示しており、斜線部がトライアックＴが導通する電力供給期間を示している。図２（ａ）は電源１１の電源周波数が５０Ｈｚの例を示し、図２（ｂ）は電源周波数が６０Ｈｚの例を示している。
【００３０】
照明負荷器具１３の調光率は、図２の交流波形の半周期に対する電力供給期間（又は遅延時間）の割合に応じたものとなる。従って、電源周波数が６０Ｈｚの場合には、電源周波数が５０Ｈｚの場合の遅延時間の５／６の時間の遅延時間を設定することで、電源周波数に拘わらず同一の明るさでの調光が可能である。  
電源周波数は、周波数弁別回路１２によって判別される。周波数弁別回路１２は、電源周波数の判別結果によって、アナログスイッチＳをオン，オフする。
【００３１】
本実施の形態においては、電源周波数に拘わらず、可変抵抗ＶＲ１の同一の抵抗値によって、同一の調光率が得られるように、時定数回路にコンデンサＣ２が設けられている。コンデンサＣ２は、アナログスイッチＳがオンとなることによってコンデンサＣ１に並列接続される。
【００３２】
遅延時間は、時定数回路の時定数に応じたものとなる。いま、コンデンサＣ１の容量をＣ１、コンデンサＣ１，Ｃ２の合成容量をＣｘとし、可変抵抗ＶＲ１の抵抗値をＲとすると、アナログスイッチＳがオフの場合の時定数はＲ・Ｃ１であり、オンの場合の時定数はＲ・Ｃｘである。即ち、遅延時間は、抵抗値Ｒ又は容量Ｃ１，Ｃｘに比例する。
【００３３】
例えば、周波数弁別回路１２が、電源周波数が５０Ｈｚの場合にアナログスイッチＳをオフにし、電源周波数が６０Ｈｚの場合にアナログスイッチＳをオンにするものとする。この場合には、Ｃｘ＝（５／６）Ｃ１となるように、コンデンサＣ１，Ｃ２の容量を設定することで、電源周波数に拘わらず、可変抵抗ＶＲ１の同一の抵抗値で、同一の調光率を得ることができる。
【００３４】
このように本実施の形態においては、電源周波数を判別し、判別結果に基づいて時定数回路の定数を変化させている。これにより、電源周波数に拘わらず、同一の抵抗値で同一の調光率を得ることができる。即ち、電源周波数が異なる地域で使用する場合でも、可変抵抗値を構成するボリュームのつまみの操作と調光率との関係を共通にすることができ、共通の操作感での調光操作を可能にすることができる。
【００３５】
（変形例）
図３は本発明の変形例を示す回路図である。図３において図１と同一の構成要素には同一符号を付して説明を省略する。  
図３の回路はコンデンサＣ２に代えて可変抵抗ＶＲ２を採用した点が図１の実施の形態と異なる。可変抵抗ＶＲ１に並列に、可変抵抗ＶＲ２及びアナログスイッチＳの直列回路が設けられている。アナログスイッチＳがオンの場合にのみ可変抵抗ＶＲ１，ＶＲ２が並列接続され、時定数回路の時定数は可変抵抗ＶＲ１，ＶＲ２及びコンデンサＣ１によって決定される。
【００３６】
即ち、図１の例では、電源周波数に応じて時定数回路のコンデンサの容量を変更したのに対し、本変形例では、電源周波数に応じて時定数回路の抵抗値を変更するようにしたものである。可変抵抗ＶＲ１の抵抗値Ｒと可変抵抗ＶＲ１，ＶＲ２の合成抵抗値Ｒｘとの比を、電源周波数の比に応じて設定することによって、図１の実施の形態と同様に、電源周波数に拘わらず、共通の操作感で同一の調光率を得ることができる。なお、可変抵抗ＶＲ１，ＶＲ２は、例えば、共通のつまみによって、同時に抵抗値を制御可能であることが望ましい。
【００３７】
（第２の実施の形態）
図４は本発明の第２の実施の形態を示す回路図である。図４において図１と同一の構成要素には同一符号を付して説明を省略する。  
本実施の形態は、位相制御を行うための自己保持性素子としてサイリスタを用いた例である。
【００３８】
図４においても、電源１１と端子Ｉ１，Ｉ２に接続する照明負荷器具１３との間に、調光のための位相制御を行う調光器１０が接続される。調光器１０は、交流電源１１と端子Ｉ１との間に、整流回路２１を有している。整流回路２１は電源電圧を整流する。整流回路２１の正極性出力端と負極性出力端との間にサイリスタＴＨが接続される。
【００３９】
サイリスタＴＨには並列に抵抗Ｒ１及びツェナーダイオードＺＤの直列回路が接続される。ツェナーダイオードＺＤにはダイオードＤ２及びコンデンサＣ３の直列回路が並列接続される。整流回路２１からは脈流が出力され、この脈流はツェナーダイオードＺＤによってスライスされて、コンデンサＣ３の両端には所定レベルの直流電圧が発生する。この直流電圧が電源電圧ＶＤＤとして制御部２２の電源端に供給される。なお、制御部２２はＣＰＵ等によって構成することができる。
【００４０】
制御部２２は制御端が可変抵抗ＶＲ３を介して基準電位点に接続されている。可変抵抗ＶＲ３は調光制御に基づく抵抗値に設定されており、制御部２２の制御端には、調光制御に基づく制御電圧が供給されるようになっている。制御部２２は、制御端に供給される制御電圧に基づく遅延時間を設定して、この遅延時間でサイリスタＴＨをオン，オフ制御するようになっている。
【００４１】
本実施の形態においては、制御部２２の検出端には、抵抗Ｒ１とツェナーダイオードＺＤとの接続点が接続される。制御部２２はこの接続点から整流回路２１からの脈流を取り込む。制御部２２は整流回路２１の脈流出力のゼロクロス点を検出することで、電源周波数を判別することができるようになっている。
【００４２】
制御部２２は、制御端の制御電圧だけでなく、電源周波数を用いて、サイリスタＴＨの導通時間を規定する遅延時間を設定するようになっている。即ち、制御部２２は制御電圧が同一であっても、電源周波数がｎ倍になると、遅延時間を１／ｎに設定するようになっている。
【００４３】
次に、このように構成された実施の形態の動作について説明する。  
制御部２２には可変抵抗ＶＲ３の抵抗値に基づく制御電圧が与えられる。制御部２２は制御電圧に基づいて遅延時間を求めると共に、電源周波数に応じて求めた遅延時間を補正する。
【００４４】
即ち、制御部２２は脈流によって電源周波数を判別する。制御部２２は電源周波数が例えば６０Ｈｚの地域では、電源周波数が５０Ｈｚの地域で設定する遅延時間を５／６倍した遅延時間を設定する。これにより、電源周波数が異なる場合でも、可変抵抗ＶＲ３を構成するボリュームのつまみに対する操作感を共通にすることができる。
【００４５】
制御部２２は検出端に入力される脈流によって交流電源のゼロクロス点を把握し、このゼロクロス点から遅延時間後にサイリスタＴＨをオンにするための制御信号をサイリスタＴＨに出力する。これにより、サイリスタＴＨは、遅延時間によって規定された期間だけ導通して、電力を照明負荷器具１３に供給する。こうして、電源周波数が異なる場合でも、共通の調光操作で共通の調光率での点灯が可能である。  
このように本実施の形態においても、第１の実施の形態と同様の効果を得ることができる。
【００４６】
（第３の実施の形態）
図５は本発明の第３の実施の形態を示す回路図である。図５において図４と同一の構成要素には同一符号を付して説明を省略する。  
整流回路２１の正極性出力端と負極性出力端との間には、位相制御を行うための自己保持性素子としてサイリスタＴＨ及び抵抗Ｒ３の直列回路が接続される。サイリスタＴＨは、制御部３１からの制御信号によってオン，オフ制御されるようになっている。抵抗Ｒ１、ツェナーダイオードＺＤ及びコンデンサＣ３による定電圧回路は、整流回路２１の出力から定電圧を発生して、制御部３１の電源電圧ＶＤＤとして制御部３１に供給する。
【００４７】
制御部３１は制御端が可変抵抗ＶＲ３を介して基準電位点に接続されている。可変抵抗ＶＲ３は調光制御に基づく抵抗値に設定されており、制御部３１の制御端には、調光制御に基づく制御電圧が供給されるようになっている。制御部３１は、制御端に供給される制御電圧に基づく遅延時間を求める。
【００４８】
整流回路２１の正極性出力端は抵抗Ｒ２を介して制御部３１に接続されており、制御部３１は抵抗Ｒ２を介して整流回路２１からの脈流を取り込む。制御部３１は整流回路２１の脈流出力から検出したゼロクロス点を基準にして、遅延時間後にサイリスタＴＨを導通させる制御信号を発生するようになっている。
【００４９】
本実施の形態においては、電流検出用の抵抗Ｒ３によって検出される電流（負荷電流）に基づく電圧が制御部３１に供給されるようになっている。制御部３１は抵抗Ｒ３によって検出する負荷電流に応じて、制御電圧に基づいて求めた遅延時間を補正するようになっている。即ち、制御部３１は、制御端の制御電圧だけでなく、負荷電流を用いて、サイリスタＴＨの導通時間を規定する遅延時間を設定するようになっている。例えば、制御部３１は制御電圧が同一であっても、負荷電流が大きくなると、遅延時間を大きく設定するようになっている。
【００５０】
なお、抵抗Ｒ３に流れる電流は電源電圧に応じて変化する。従って、制御部３１は、図示しないメモリに順次電流値を記憶させ、記憶させた電流値に対する演算によって、負荷電流を求めるようになっている。  
次に、このように構成された実施の形態の動作について図６の波形図を参照して説明する。図６は横軸に時間をとり縦軸に電圧をとって、電源１１の交流電源電圧とサイリスタＴＨの制御を説明するための波形図である。  
制御部３１には可変抵抗ＶＲ３の抵抗値に基づく制御電圧が与えられる。制御部３１は制御電圧に基づいて遅延時間を求める。
【００５１】
いま、電源１１からの電源電圧が図６の波形Ａ１で示すものであるものとする。この場合において、制御部３１が可変抵抗ＶＲ３の抵抗値に基づいて求めた遅延時間がＴ１であるものとする。図６の左下がりの斜線部は、電源半周期における電力供給期間を示している。
【００５２】
ここで、電源電圧が変動し、図６の波形Ａ２に示すように振幅が大きくなるものとする。この場合において、仮に制御部３１が可変抵抗ＶＲ３に応じて求めた制御電圧のみによって遅延時間を決定した場合には、電源電圧の振幅が増加した分だけ、照明負荷器具１３に対する電力供給量が増加して、調光率が高くなってしまう。
【００５３】
また、仮に、位相制御素子を可変抵抗及びコンデンサによる時定数回路によって制御する構成とした場合には、電源電圧の振幅増加によって遅延時間が短くなり、照明負荷器具１３に対する電力供給量は一層増加して、調光率が著しく高くなってしまう。
【００５４】
そこで、本実施の形態においては、制御部３１は電源電圧の変動に伴う負荷電流を検出し、検出結果に基づいて遅延時間を補正する。即ち、制御部３１には、抵抗Ｒ３に流れる負荷電流に基づく電圧が与えられる。制御部３１は、負荷電流に基づく電圧と制御電圧とに応じて、遅延時間を発生させる。例えば、制御部３１は、制御電圧が一定の場合には、抵抗Ｒ３に流れる負荷電流が一定になるように遅延時間を制御する。
【００５５】
制御部３１は検出端に入力される脈流によって交流電源のゼロクロス点を把握し、このゼロクロス点から遅延時間後にサイリスタＴＨをオンにするための制御信号をサイリスタＴＨに出力する。これにより、サイリスタＴＨは、遅延時間によって規定された期間だけ導通して、電力を照明負荷器具１３に供給する。
【００５６】
例えば、図６の例では、制御部３１は、電源電圧が高くなると遅延時間をＴ１よりも大きいＴ２に変化させる。これにより、電力供給期間が短くなり、電源電圧の変動に拘わらず負荷電流を一定にすることができる。こうして、電源電圧の変動に拘わらず調光率を一定にすることができ、調光率は可変抵抗ＶＲ３の抵抗値に基づくものとなる。
【００５７】
このように本実施の形態においては、電源電圧の変動を負荷電流を検出することで判別し、負荷電流に基づいて遅延時間を調整している。これにより、電源電圧の変動に拘わらず、共通の操作感によって所望の調光率を得ることができる。
【００５８】
なお、本実施の形態においては、電源電圧の変動によって負荷電流が変化する例について説明したが、第１の実施の形態のように電源周波数の変化によっても負荷電流は変化する。従って、本実施の形態は、電源周波数に拘わらず、共通の操作感で調光を制御することを可能にすることもできる。
【００５９】
（第４の実施の形態）
図７は本発明の第４の実施の形態を示す回路図である。図７において図５と同一の構成要素には同一符号を付して説明を省略する。
【００６０】
本実施の形態は制御部３１に代えて制御部４１を採用した点が第３の実施の形態と異なる。制御部４１はサイリスタＴＨの制御の仕方が制御部３１と異なるのみである。制御部４１は動作モードとして、通常使用時の使用モードと通常使用前に照明負荷器具１３に関する情報を記憶する登録モードとを有する。
【００６１】
図８は横軸に電圧をとり縦軸に電流をとって、照明負荷器具１３として白熱電球又はＬＥＤ電球を採用した場合における負荷電流と負荷電圧との特性を示すグラフである。図８に示すように、白熱電球は電圧の上昇に伴って負荷電流も増加する特性を有するのに対し、ＬＥＤ電球は、印加される電圧が所定の閾値電圧に到達するまでは負荷電流は殆ど流れないという特性を有する。例えば、ＬＥＤ電球の構成によっては、閾値電圧を約１００Ｖに設定することができ、この場合には、印加電圧として１００Ｖを印加することで、ＬＥＤ電球を点灯させることが可能である。
【００６２】
図９は横軸に時間をとり縦軸に電圧をとって、電源１１の交流電源電圧と導通角との関係を説明するための波形図である。図９は例えば電源１１が１００Ｖ交流電圧を発生し、照明負荷器具１３として白熱電球又は１００Ｖで点灯するＬＥＤ電球を採用した場合における点灯可能な範囲を示している。
【００６３】
期間Ｔ３は交流電源が１００Ｖ以上の範囲であり、ＬＥＤ電球が点灯可能な期間を示している。また、期間Ｔ４は白熱電球の点灯可能な期間を示している。照明負荷器具１３として白熱電球を採用した場合には期間Ｔ４以内の電力供給期間を設定することが可能であるが、照明負荷器具１３としてＬＥＤ電球を採用した場合には期間Ｔ３以内の範囲を電力供給期間として設定する必要がある。
【００６４】
制御部４１は、登録モード時に照明負荷器具１３に電力を供給することで照明負荷器具１３の特性、例えば図８に示す特性を検出して図示しない記憶部に記憶させる。制御部４１は、使用モード時には、可変抵抗ＶＲ３の抵抗値に応じた制御電圧と、登録モード時に求めた照明負荷器具１３の特性とに基づいて遅延時間を決定し、この遅延時間でサイリスタＴＨを駆動するようになっている。
【００６５】
次に、このように構成された実施の形態の動作について図１０のフローチャートを参照して説明する。  
制御部４１は、ステップＳ１において、登録モードに設定する。登録モードにおいて、制御部４１は、サイリスタＴＨに制御信号を与えて導通を制御し、電源電圧の導通角を変化させる（ステップＳ２）。制御部４１は、抵抗Ｒ２を介して電圧を検出すると共に、抵抗Ｒ３に利用して負荷電流を検出する（ステップＳ３）。制御部４１は、検出した電圧及び電流を図示しない記憶部に記憶させる（ステップＳ４）。
【００６６】
一般的には、照明負荷器具１３の種類が頻繁に変更されることはないので、登録モードは調光器を設置後１回だけ行えばよい。照明負荷器具１３の種類が変更された場合には、制御部４１は再度登録モードを実施する。
【００６７】
ステップＳ５において使用モードが設定されると、制御部４１は、ステップＳ６において、可変抵抗ＶＲ３の抵抗値に基づく制御電圧を取込み、制御電圧に応じた調光率を求める。次に、制御部４１は、調光率に応じた遅延時間を算出する（ステップＳ７）。この場合には、制御部４１は、記憶部に記憶された情報に基づいて遅延時間を算出する。これにより、例えば照明負荷器具１３として１００Ｖで点灯するＬＥＤ電球が採用された場合には、制御部４１は、図９の期間Ｔ３以内の範囲が電力供給期間となるように、調光率に応じた遅延時間を設定する。また、同様に、例えば照明負荷器具１３として白熱電球が採用された場合には、制御部４１は、図９の期間Ｔ４以内の範囲を電力供給期間として、調光率に応じた遅延時間を設定する。
【００６８】
制御部４１は、算出した遅延時間に応じて、サイリスタＴＨの導通を制御する（ステップＳ８）。これにより、照明負荷器具１３としていずれの種類の照明負荷が接続されている場合でも、調光率は可変抵抗ＶＲ３の抵抗値に基づくものとなるので、可変抵抗ＶＲ３を構成するボリュームのつまみに対する操作感を共通にすることができる。
【００６９】
このように本実施の形態においても、共通の調光率を得る調光操作の操作感を同一にすることができる。
【符号の説明】
【００７０】
１０…調光器、１１…電源、１２…周波数弁別回路、１３…照明負荷器具、Ｃ１，Ｃ２…コンデンサ、Ｔ…トライアック、ＴＤ…ダイアック、ＶＲ１…可変抵抗、Ｓ…アナログスイッチ。
【図１】
2011044353.tif 000003
【図２】
2011044353.tif 000004
【図３】
2011044353.tif 000005
【図４】
2011044353.tif 000006
【図５】
2011044353.tif 000007
【図６】
2011044353.tif 000008
【図７】
2011044353.tif 000009
【図８】
2011044353.tif 000010
【図９】
2011044353.tif 000011
【図１０】
2011044353.tif 000012